(57)【要約】【課題】  部品点数を減少させてコストダウンおよび組立性の向上を図ることができる携帯端末装置を提供する。【解決手段】  壁部２３によりスピーカ２１ａ、２１ｂを収納する空間２２を囲繞するとともに、壁部２３を蓋部材２４により蓋したので、開口２０ａ、２０ｂを有する空間２２を部品点数が少なくて設けることができる。また、蓋部材２４で壁部２３を蓋することにより、蓋部材２４の内面に突出して取り付けられているスピーカ２１ａ、２１ｂは壁部２３の内部に設置されることになるので取付性を向上させることができる。これにより、壁部２３と筐体底部１２ａと蓋部材２４により空間２２が開口２０ａ、２０ｂを除いて密閉され、この空間２２に配置されたスピーカ２１ａ、２１ｂから発せられた音は、開口２０ａ、２０ｂから外部に放出されることになる。【選択図】  図２
2006041875.tif 000002
【特許請求の範囲】
【請求項１】
筐体と、筐体内部に含まれるスピーカの音を外部に発する開口とを有する携帯端末装置であって、
前記筐体底部に設けられて前記開口につながる空間を囲繞する壁部と、前記壁部を覆って前記空間に蓋する蓋部材とを有し、
前記蓋部材の内面に突出して前記スピーカが取り付けられている携帯端末装置。
【請求項２】
前記壁部は、前記開口側において最も高さが高くなっている請求項１記載の携帯端末装置。
【発明の詳細な説明】
【技術分野】
【０００１】
本発明は、スピーカを内蔵した例えば携帯電話機等の携帯端末装置に関するものである。
【背景技術】
【０００２】
従来の携帯端末装置としては、図６に示すようなものが開示されている（例えば特許文献１参照）。
図６に示す携帯端末装置１００では、前面側（図６において下側）に図示省略の表示部を備える蓋体１０１の内部に、第１スピーカ部１０２ａと第２スピーカ部１０２ｂとが左右対称となる位置に設けられている。第１スピーカ部１０２ａと第２スピーカ部１０２ｂとの間には、第１スピーカ部１０２ａおよび第２スピーカ部１０２ｂから発生される音が互いに干渉するのを防止する隔壁１０３が設けられている。
【０００３】
蓋体１０１の背面側（図６において上側）の左右両端部には、水平面に対して所定角度傾斜するように第１放音面１０４ａと第２放音面１０４ｂとが設けられている。第１放音面１０４ａには、第１スピーカ部１０２ａから発生される音を外部へ放出するための第１放音孔１０５ａが設けられており、第２放音面１０４ｂには、第２スピーカ部１０２ｂから発生される音を外部へ放出するための第２放音孔１０５ｂが設けられている。
なお、蓋体１０１の背面には、左右に各々反射面１０６ａ、１０６ｂが傾斜して設けられており、第１スピーカ部１０２ａから発せられた音は第１反射面１０６ａで反射して、第１放音孔１０５ａから外部に放出されるようになっている。また、第２スピーカ部１０２ｂで発せられた音は第２反射面１０６ｂで反射して、第２放音孔１０５ｂから外部に放出されるようになっている。
【特許文献１】特開２００３−１５２８３７号公報（図４）
【発明の開示】
【発明が解決しようとする課題】
【０００４】
しかしながら、前述したような従来の携帯端末装置１００においては、部品点数が多くなって、コストアップを招くとともに組立性が悪くなるという問題があった。
【０００５】
本発明は、従来の問題を解決するためになされたものであり、部品点数を減少させてコストダウンおよび組立性の向上を図ることができる携帯端末装置を提供することを目的とする。
【課題を解決するための手段】
【０００６】
本発明の携帯端末装置は、筐体と、筐体内部に含まれるスピーカの音を外部に発する開口とを有する携帯端末装置であって、前記筐体底部に設けられて前記開口につながる空間を囲繞する壁部と、前記壁部を覆って前記空間に蓋する蓋部材とを有し、前記蓋部材の内面に突出して前記スピーカが取り付けられている構成を有している。
【０００７】
この構成により、壁部によりスピーカを収納する空間を囲繞するとともに、壁部に蓋部材により蓋したので、開口を有する空間を部品点数が少なくて設けることができる。また、蓋部材で壁部に蓋することにより、蓋部材の内面に突出して取り付けられているスピーカは壁部の内部に設置されることになるので取付性を向上させることができる。これにより、壁部と筐体底部と蓋部材により空間が開口を除いて密閉され、この空間に配置されたスピーカから発せられた音は、空間の外に漏れることなく開口から外部に放出されることになる。
【０００８】
また、本発明にかかる携帯端末装置は、前記壁部は、前記開口側において最も高さが高くなるような構成を有している。
【０００９】
この構成により、壁部、筐体底部、蓋体によって囲まれた空間では、開口を有する側が高くなるので、薄い筐体でも開口を大きくとることができる。
【発明の効果】
【００１０】
本発明は、壁部によりスピーカを収納する空間を囲繞するとともに、壁部を蓋部材により蓋したので、開口を有する空間を少ない部品点数で設けることができる。また、蓋部材で壁部に蓋することにより、蓋部材の内面に突出して取り付けられているスピーカは壁部の内部に設置されることになるので、取付性を向上させることができるという効果を有する携帯端末装置を提供することができるものである。
【発明を実施するための最良の形態】
【００１１】
以下、本発明の実施の形態の携帯端末装置について、図面を用いて説明する。
本発明の第１の実施の形態の携帯端末装置を図１〜図４に示す。図１（Ａ）は携帯端末装置としての携帯電話機を開けた状態で示す正面図、（Ｂ）は側面図、図２は図１（Ａ）中II−II位置におけるＵＰケースの断面図、図３はＵＰケースの内側を示す斜視図、図４は要部拡大図である。
【００１２】
図１に示すように、携帯端末装置としての携帯電話機１０は、表示部１１を備えたＵＰ側ユニット１４と、操作部１５を備えたＬＯＷ側ユニット１６を有しており、ＵＰ側ユニット１４とＬＯＷ側ユニット１６とは、ヒンジ１７を介して折畳み・展開可能に連結されている。表示部１１はＵＰケース１２とＵＰカバー１３から構成されており、ＵＰケース１２の左右側面には開口としての音孔２０ａ、２０ｂが形成されている。
【００１３】
図２には図１（Ａ）中II−II位置におけるＵＰケース１２の断面が示されている。図２に示すように、この携帯端末装置１０は、筐体としてのＵＰケース１２と、ＵＰケース１２内部に含まれるスピーカ２１ａ、２１ｂの音を外部に発する開口としての音孔２０ａ、２０ｂとを有している。また、ＵＰケース１２の底部１２ａに設けられて音孔２０ａ、２０ｂにつながる空間２２を囲繞する壁部２３と、この壁部２３を覆って空間２２に蓋する蓋部材２４とを有しており、蓋部材２４の内面に突出してスピーカ２１ａ、２１ｂが取り付けられている。例えば、蓋部材２４に円形の穴２４ｂを設け、この穴２４ｂにスピーカ２１ａ、２１ｂの後部２１ｃを嵌めて、音を発する側を空間２２内に突出するようにする。この際、蓋部材２４と壁部材２４との間に沿って、音漏れ防止用のスポンジ等のクッション材２６を貼り付けておくのが望ましい。
【００１４】
図３および図４に示すように、壁部２３は、ＵＰケース１２の底部１２ａにＵ字形状に立設され、端部は音孔２０ａ（２０ｂ）を内包してＵＰケース１２の側壁１２ｂに一体的に接続されている。ここで、図５（Ａ）に示すように、壁部２３の高さは一定でもよいが、図４および図５（Ｂ）に示すように、例えば傾斜部２３ａを設けて、音孔２０ａ、２０ｂ側において壁部２３の高さが最も高くなるように形成するのが望ましい。この場合には、蓋部材２４の端部に傾斜部２４ａを設けて、壁部２３の高さの変化に対応させるようにする。
これにより、ＵＰケース１２の厚みが小さい場合でも、音孔２０ａ、２０ｂを外部に大きく開口することができる。
【００１５】
なお、音孔２０ａ、２０ｂは、壁部２３のＵ字形状の内部におけるＵＰケース１２の側壁１２ｂに開口されてＵＰケース１２の外部に貫通して設けられている。また、各音孔２０ａ、２０ｂには、スピーカネット２５が設けられており、音孔２０ａ、２０ｂからゴミやホコリ等が空間２２内部に進入するのを防止している。
【００１６】
以上、前述したような携帯端末装置によれば、壁部２３によりスピーカ２１ａ、２１ｂを収納する空間２２を囲繞するとともに、壁部２３を蓋部材２４により蓋したので、音孔２０ａ、２０ｂを有する空間２２を形成する部品点数を少なくすることができる。また、蓋部材２４で壁部２３に蓋することにより、蓋部材２４の内面に突出して取り付けられているスピーカ２１ａ、２１ｂが壁部２３の内部に設置されることになるので、取付性を向上させることができる。これにより、壁部２３とＵＰケース１２の底部１２ａと蓋部材２４により空間２２が音孔２０ａ、２０ｂを除いて密閉され、この空間２２に配置されたスピーカ２１ａ、２１ｂから発せられた音は、音孔２０ａ、２０ｂから外部に放出されることになる。
【００１７】
なお、以上の説明では、スピーカ２１ａ、２１ｂを左右に１個ずつ設けた場合について説明したが、スピーカが１個の場合でも同様に適用することができる。また、スピーカを２個以上設ける場合でも同様に適用することができる。また、設置位置も対称位置に限らず、種々の位置に設けることもできる。
また、前述した実施形態では、図５（Ｂ）に示すように、壁部２３の端部に傾斜部２３ａを設けて、音孔２０ａ、２０ｂ側で壁部２３の高さを最も高くなるようにしたが、この他、図５（Ｃ）に示すように、壁部２３に段部２３ｂを設けるようにすることもできる。この場合には、蓋部材２４にも対応する団部２４ｃを設けるようにする。
【産業上の利用可能性】
【００１８】
以上のように、本発明に係る携帯端末装置は、壁部によりスピーカを収納する空間を囲繞するとともに、壁部に蓋部材により蓋したので、開口を有する空間を部品点数が少なくて設けることができる。また、蓋部材で壁部に蓋することにより、蓋部材の内面に取り付けられているスピーカは壁部の内部に設置されることになるので取付性を向上させることができるという効果を有し、スピーカを内蔵した例えば携帯電話機等の携帯端末装置等として有用である。
【図面の簡単な説明】
【００１９】
【図１】（Ａ）本発明の実施の形態における携帯端末装置の平面図  （Ｂ）本発明の実施の形態における携帯端末装置の側面図
【図２】図１（Ａ）中II−II位置の断面図
【図３】ＵＰケースの内部を示す斜視図
【図４】スピーカ取付部分の拡大図
【図５】（Ａ）壁部の高さが一定の場合を示す断面図  （Ｂ）壁部の高さが変化する場合を示す断面図  （Ｃ）壁部の高さが変化する別の場合を示す断面図
【図６】従来の携帯端末装置の断面図
【符号の説明】
【００２０】
１０  携帯端末装置
１１  表示部
１２  ＵＰケース
１２ａ  底部
１２ｂ  側壁
１３  ＵＰカバー
１４  ＵＰ側ユニット
１５  操作部
１６  ＬＯＷ側ユニット
１７  ヒンジ
２０ａ、２０ｂ  音孔
２１ａ、２１ｂ  スピーカ
２２  空間
２３  壁部
２３ａ  傾斜部
２３ｂ  段部
２４  蓋部材
２４ａ  端部
２４ｂ  穴
２４ｃ  段部
２５  スピーカネット
２６  クッション材
【図１】
2006041875.tif 000003
【図２】
2006041875.tif 000004
【図３】
2006041875.tif 000005
【図４】
2006041875.tif 000006
【図５】
2006041875.tif 000007
【図６】
2006041875.tif 000008